(57)【特許請求の範囲】
【請求項１】
両側部に被係止凹部を有する竪樋と、上記被係止凹部に弾発的に係合する支持片を有する樋支持具と、建屋に接合固定される基部とその両側に起立させた側壁からなる樋カバーとを具備し、樋カバーの内方で樋支持具が建屋に固定され、この樋支持具の支持片と樋カバーの側壁縁部とが係合され、その内側に竪樋が圧入係止されるように構成された竪樋取り付け構成体。
【請求項２】
樋カバーの端部を被覆するカバー蓋体を取り付けて構成された請求項１に記載の竪樋取り付け構成体。
【発明の詳細な説明】
【０００１】
【発明の属する技術分野】
本発明は、竪樋の周囲を被覆する樋カバーを備えた竪樋取り付け構成体に関する。
【０００２】
【従来の技術及び発明が解決しようとする課題】
風圧の強い場所では、風圧から竪樋を保護するためカバー材で竪樋を被覆することがあるが、従来のカバー材は竪樋とは別体の構成を有し、建屋の外壁に竪樋を固定した後、その周囲に取り付けられるものであった。
そのため、竪樋のみを取り付ける場合と比較して取り扱う部材が増し、施工に手間を要するという問題があった。
また、単に竪樋の保護を目的として取り付けられる過ぎず、カバー材を取り付けることにより、建屋の見栄えを向上させ得るようなものではなかった。
【０００３】
本発明は従来技術の有するこのような問題点に鑑み、竪樋とこれを被覆するカバー材とを一体化して、取り扱う部材点数及び施工工数の削減を図り、簡易な作業で取り付けることができ、且つ建屋の見栄えの向上に寄与し得る外観の良い竪樋取り付け構成体を提供することを課題とする。
【０００４】
【課題を解決するための手段】
上記課題を解決するため本発明の竪樋取り付け構成体は、両側部に被係止凹部を有する竪樋と、上記被係止凹部に弾発的に係合する支持片を有する樋支持具と、建屋に接合固定される基部とその両側に起立させた側壁からなる樋カバーとを具備し、樋カバーの内方で樋支持具が建屋に固定され、この樋支持具の支持片と樋カバーの側壁縁部が係合され、その内側に竪樋が圧入係止されるように構成されてなるものである。
【０００５】
この構成によれば、樋カバーはその基部を建屋の外壁に接合させ、樋支持具により建屋に固定される。樋カバーの側壁縁部と樋支持具の支持片とを係合させ、樋カバーの開放側から竪樋を圧入すれば、上記側壁縁部及び支持片が竪樋両側部の被係止凹部に嵌入し、竪樋が係止される。竪樋は、その両側部から建屋の外壁までを樋カバーにより被覆されて風圧などから保護され、また、竪樋を係止する樋カバーの開放端部から表面の一部を露出させて樋カバーと一体的な外形を呈する。
【０００６】
上記構成の竪樋取り付け構成体において、樋カバーの端部には、当該端部を被覆するカバー蓋体を取り付けることが好ましい。
カバー蓋体で樋カバー端部の開口を閉鎖すれば、虫やゴミなどが内部に入り混むことを防止し、これらの滞留により生じる腐食などを防止して耐久性が向上する。
【０００７】
【発明の実施の形態】
本発明の好適な実施形態を図面を参照して説明する。
図１は本発明の一実施形態の展開図、図２は図１の断面図、図３は竪樋が係止されている部分の拡大断面図、図４及び図５は本発明の他の実施形態の断面図、図６は本発明のさらに他の実施形態の展開図、図７は図６の断面図、図８はカバー蓋体の外観図であり、図中、符号１は竪樋、２は樋支持具、３は固定部材、４は樋カバー、５はカバー蓋体、６は建屋の外壁を示している。
【０００８】
竪樋１は、例えば塩化ビニル樹脂のようなプラスチックを用い、押し出し成形加工により長尺筒状に形成してある。より詳しくは、断面形状が略楕円形であって、正背両面部１１，１２を外方に膨らむように湾曲させると共に、両側面部１３，１４の略中央位置に長手方向に沿って連続して延びる凹状の溝となっている被係止凹部１５，１５をそれぞれ対向して設けてある。
【０００９】
樋支持具２は、金属板を折曲加工し、竪樋１の湾曲した背面部１２から両側面部１３，１４に渡って帯状に重合するように形成してある。より詳しくは、竪樋１の背面部１２に接合するように湾曲させた支持面部２１を有し、その両側に竪樋１の両側面部１３，１４が被着する支持片２２，２２を前方に突設すると共に、両支持片の端部に竪樋１の被係止凹部１５に弾発的に係合するよう内方に膨らませて湾曲形成した突部２３，２３をそれぞれ対向して設けてある。
なお、この樋支持具２は、アングル材などの固定部材３により建屋の外壁６に固着され、建屋の軒下から基礎部分まで所定の間隔をおいて複数個固定される。
【００１０】
樋カバー４は、例えば表面を塩化ビニル樹脂などで被覆した鋼材の如き弾性及び耐蝕性を有する材料を用い、折曲加工により、略々コ字状の断面を有して長尺に形成してある。より詳しくは、外壁６に接合し得るように設けた幅広の基部４１を有し、その両側に、適宜高さで側壁４２，４２を内方へ鋭角に傾斜させつつ起立させ、両側壁の縁部を互いに基部４１と平行に、且つ当該側壁縁部間に竪樋１を圧入し得る距離を保って内方に折り曲げて形成してある。
【００１１】
上記部材よりなる本形態の竪樋取り付け構成体の施工手順は、先ず、予め樋支持具２に固定部材３を取り付けておく。
次に、竪樋１が取り付けられる建屋の外壁６に樋カバー４を接合させ、位置決め或いは仮止めした状態で、樋カバー４の内方で樋支持具２の固定位置を決め、固定部材３を介して樋支持具２を樋カバー４と共に外壁６に固着する。この際、樋カバー４の両側壁縁部に樋支持具２の両支持片の突部２３，２３を係合しておく。
そして、樋カバー４の開放側から竪樋１を圧入すれば、竪樋１の押圧力を受けて変形した樋カバー４の側壁縁部及び樋支持具２の両支持片の突部２３，２３が竪樋１の両側部の被係止凹部１５，１５において弾性復帰して当該凹部に嵌入し、ビスなどを用いることなく、竪樋１を簡易な操作で係止することができる（図３参照）。
なお、予め樋カバー４の表面に樋支持具２の取り付け位置を示す線引きや刻印などをしておき、その印にそって樋支持具２を取り付ければ、樋支持具２の位置決め作業が不要となり、施工作業の効率化が図れる。
【００１２】
係止された竪樋１は、その両側面部１３，１４が樋カバー４の側壁縁部と樋支持具２の支持片２２，２２により支持され，また、背面部１２に樋カバー４が接合して係止位置に安定的に支持される。また、両側面部１３，１４から建屋の外壁６までが樋カバー４により被覆され、風圧などから保護される。さらに、竪樋１はその表面の一部を樋カバー４の開放端部から露出させて樋カバー４と一体的な外形をなし、外壁外観にアクセントを与え、建屋の見栄えを向上させることができる。
【００１３】
図４及び図５に示された形態は、側壁４２，４２が外方に膨らむように湾曲させて立ち上げて形成された樋カバー４を用い、竪樋１が係止された状態で、樋カバー４と竪樋１との表面が連続した膨出曲面となり、外壁６から略半円状に突出した外形状となるように設けたものである。
さらに、図５に示された形態は、樋カバー４の基部４１の両側を凹ませてここをコーキング７などの充填部となし、外壁６との接合部の密閉性をより高めたものである。
【００１４】
また、図６及び図７に示された形態は、樋支持具２を樋カバー４の側に接合するように形成し、樋支持具２の支持片２２の内側に樋カバー４の側壁縁部を係合し、その内側に竪樋１が係止されるようにしたものである。
より詳しくは、樋支持具２は、樋カバー４の基部４１に接合する支持面部２１を有し、その両側に支持片２２，２２を略垂直に立ち上げ、さらに両支持片の縁部を互いに基部４１と平行に内方に折り曲げて形成してある。また、樋カバー４は、基部４１の両側に側壁４２，４２を内方へ鋭角に傾斜させつつ起立させ、両側壁の縁部を互いに基部４１と平行に内方に折り曲げると共に、その端部を側壁内面側に鋭角に折り返して形成してある。
なお、両部材の両側壁は、竪樋１を圧入し得る距離を保って内方に折り曲げられ、樋カバー４の側壁縁部の内側に樋支持具２の支持片２２の縁部が接合するように設けてある。
【００１５】
この形態の取り付けは、外壁６に接合させた樋カバー４の表面に樋支持具２を接合すると共に、樋支持具２の支持片２２の縁部を樋カバー４の側壁縁部の内側に係合し、両部材をビスなどを用いて外壁６に一体に固着し、さらに樋カバー４の開放端部から竪樋１を圧入し、樋カバー４の側壁縁部を竪樋１の被係止凹部１５，１５に嵌入して竪樋１を係止することにより行うことができる。
これによれば、前述した形態で用いた固定部材３が不要なため、取り付けがより簡便となり、また、竪樋１の背面部１２と樋支持具２及び樋カバー４との間が大きな開口となるので、内部に進入した埃やゴミが堆積して腐食などを生じさせる虞れがなく、耐久性を高めることができる。
【００１６】
上記各形態の樋カバー４の上下端部には、図８に示す如き形態のカバー蓋体５を取り付けて、端部開口を閉鎖し、内部に埃やゴミ、虫などが進入するのを防ぐことができる。
図示されたカバー蓋体５は、何れも樋カバー４の開口端部を被覆する蓋面５１と、蓋面５１の底部に突設された開口面に沿って突設された脚部５２からなり、脚部５２を樋カバー４の開口端部内側に嵌着して取り付けられるように形成してある。
【００１７】
より詳しくは、（Ａ）のカバー蓋体５は、蓋面５１を、その基部５１ａから段部５３を介して直角に立ち上げると共に外壁６の側から竪樋１の側に傾斜するように設けたものである。
（Ｂ）のカバー蓋体５は、蓋面５１を、その基部５１ａから段部５３を介して緩やかに湾曲させて立ち上げると共に外壁６の側から竪樋１の側に傾斜するように設けたものである。
（Ｃ）のカバー蓋体５は、（Ｂ）の形態の蓋面５１に、細いスリット５４を竪樋１の側に開口させて設けたものである。スリット５４は樋カバー４端部に容易に嵌着できるようにするためのものである。
（Ｄ）のカバー蓋体５は、蓋面５１を、その基部５１ａから直角に立ち上げると共に外壁６の側から竪樋１の側に水平となし、さらにスリット５４を竪樋１の側に開口させて設けたものである。
（Ｅ）のカバー蓋体５は、蓋面５１を、その基部５１ａから直角に立ち上げると共に外壁６の側から竪樋１の側に傾斜させ、さらにスリット５４を竪樋１の側に開口させて設けたものである。
（Ｆ）のカバー蓋体５は、蓋面５１を、その基部５１ａから段部５３を介して直角に立ち上げると共に外壁６の側から竪樋１の側に水平となし、さらにスリット５４を竪樋１の側に開口させて設けたものである。
なお、カバー蓋体５の形状は、樋カバー４の形状に応じ、開口端部を被閉可能な適宜な形状とすることができる。
【００１８】
【発明の効果】
本発明の竪樋取り付け構成体によれば、竪樋と樋支持具、樋カバーとを一体に取り扱え、竪樋又は樋カバー単独で扱うよりも部材点数の削減が図られ、而も、簡易な手順で取り付けることができる。
すなわち、従来は竪樋の取り付けにあたり樋支持具の位置決めをし、さらに竪樋を取り付けた後にカバーを取り付けるため施工に手間がかかっていたが、本発明によれば、樋支持具と樋カバーが一体に外壁に固定されるので、個々の部材取り付けに要する手間を省け、さらに予め樋カバー表面に樋支持具取り付け位置のマーキングを施しておけば、樋支持具の位置決めを行うことなく、樋支持具を迅速に外壁に固定することができる。そして、竪樋は、樋カバーの開放側から圧入すれば、その両側部が樋支持具及び樋カバーの側壁端部間に係止され、ビスなどを用いることなく、簡易な操作で取り付けることができる。
【００１９】
係止された竪樋は、その両側部が樋カバーの側壁縁部と樋支持具の支持片により挟持状態で安定的に支持され、また、両側面部から建屋の外壁までが樋カバーにより被覆されて、風圧などから保護される。
さらに、竪樋はその表面の一部を樋カバーの開放端部から露出させて樋カバーと一体的な外形をなし、外壁外観にアクセントを与え、建屋の見栄えを向上させるものである。
【００２０】
また、樋カバーの端部にカバー蓋体を取り付ければ、カバー端部の開口が被閉され、虫やゴミなどが内部に入り混むことを防止し、これらの滞留により生じる腐食などを防止して耐久性を向上させることができる。
【図面の簡単な説明】
【図１】本発明の一実施形態の竪樋取り付け構成体の展開図である。
【図２】図１の断面図である。
【図３】図１の構成体において竪樋が係止された状態を示す部分拡大断面図である。
【図４】本発明の他の実施形態の断面図である。
【図５】図４と同様、本発明の他の実施形態の断面図である。
【図６】本発明のさらに他の実施形態の展開図である。
【図７】図６の断面図である。
【図８】（Ａ）〜（Ｆ）はカバー蓋体の外観図である。
【符号の説明】
1   竪樋
2   樋支持具
3   固定部材
4   樋カバー
5   カバー蓋体
6   外壁
【図１】
0003715111.tif 000002
【図２】
0003715111.tif 000003
【図３】
0003715111.tif 000004
【図４】
0003715111.tif 000005
【図５】
0003715111.tif 000006
【図６】
0003715111.tif 000007
【図７】
0003715111.tif 000008
【図８】
0003715111.tif 000009